(57)【要約】【課題】特定の調理の再現調理が可能な加熱調理システムにおける使用者の使い勝手を向上させる。【解決手段】特定の調理における、加熱条件設定手段２５で設定される加熱条件情報、計時手段１２１で取得される時間情報、及び温度特性情報取得手段３２ａで取得される温度特性情報を少なくとも関連付けた調理情報を記憶する記憶手段１３０を備えた加熱調理システムにおいて、再現調理中、温度特性情報取得手段３２ａで取得される温度特性情報と、対応する特定の調理の調理情報における温度特性情報とが、所定の特性値以上、乖離している場合、再現調理を中止する。【選択図】図１
2020056530.tif 000002
【特許請求の範囲】
【請求項１】
調理容器を加熱する加熱手段と、
加熱手段の加熱条件を設定する加熱条件設定手段と、
加熱条件設定手段で設定される加熱条件に基づいて加熱手段を制御する加熱制御手段と、
時間情報を取得する計時手段と、
調理容器の温度特性情報を取得する温度特性情報取得手段と、
特定の調理における、加熱条件設定手段で設定される加熱条件情報、計時手段で取得される時間情報、及び温度特性情報取得手段で取得される温度特性情報を少なくとも関連付けた調理情報を記憶する記憶手段と、を備え、
特定の調理を再現する再現調理が設定されると、
対応する特定の調理の調理情報における加熱条件情報に基づき再現調理を開始させ、
再現調理中、温度特性情報取得手段で取得される温度特性情報と、対応する特定の調理の調理情報における温度特性情報とを対比し、
温度特性情報取得手段で取得される温度特性情報と、対応する特定の調理の調理情報における温度特性情報とが、所定の特性値以上、乖離している場合、再現調理を中止する制御構成を有する加熱調理システム。
【請求項２】
請求項１に記載の加熱調理システムは、さらに、
調理容器を特定する調理容器情報を取得する調理容器情報取得手段を備え、
記憶手段は、特定の調理における、加熱条件設定手段で設定される加熱条件情報、計時手段で取得される時間情報、温度特性情報取得手段で取得される温度特性情報、及び調理容器情報を少なくとも関連付けた調理情報を記憶し、
特定の調理を再現する再現調理が設定されると、
調理容器情報取得手段によって取得される調理容器情報が、対応する特定の調理の調理情報における調理容器情報と略一致する場合、対応する特定の調理の調理情報における加熱条件情報に基づき再現調理を開始させる制御構成を有する加熱調理システム。
【請求項３】
請求項１または２に記載の加熱調理システムにおいて、
再現調理を開始すると、加熱条件設定手段での加熱条件の任意設定を無効とし、
再現調理を中止すると、加熱条件設定手段での加熱条件の任意設定を可能にする制御構成を有する加熱調理システム。
【請求項４】
請求項１〜３のいずれか１項に記載の加熱調理システムは、さらに、
報知手段を備え、
再現調理を中止する場合、報知手段から再現調理の中止を報知させるとともに、加熱条件設定手段での加熱条件の任意設定が可能であることを報知させる制御構成を有する加熱調理システム。
【請求項５】
請求項３または４に記載の加熱調理システムにおいて、
再現調理を中止した後、加熱条件設定手段で加熱条件を任意設定する手動調理が継続されると、再現調理を中止する前の調理情報と、再現調理を中止した後の調理情報とに基づく新たな調理情報を記憶手段に記憶する制御構成を有する加熱調理システム。
【請求項６】
請求項１〜５のいずれか１項に記載の加熱調理システムにおいて、
調理容器情報取得手段は、調理容器に付与された識別コードを読み取る識別コード読み取り手段または調理容器の画像を取得する画像データ取得手段の少なくともいずれか一方を有する加熱調理システム。
【請求項７】
請求項６に記載の加熱調理システムにおいて、
識別コードは、調理容器の固有の識別コードを生成する識別コード生成手段によって調理容器に付与される加熱調理システム。
【発明の詳細な説明】
【技術分野】
【０００１】
本発明は、加熱調理システムに関する。特に、本発明は、使用者の好みに応じた調理の再現が可能な加熱調理システムの改良に関する。
【背景技術】
【０００２】
従来の加熱調理器に搭載されている自動調理は、予め設定された画一的な加熱条件で加熱手段の加熱量が変更される。そのため、使用者の好みに応じた焼き加減などの調理の仕上がりとなるような被調理物が得られ難い。上記観点から、特定の調理について、加熱調理中に使用者が設定した加熱条件情報と、時間情報と、温度検知手段で取得される温度情報と、使用される調理容器の調理容器情報とを関連付けた調理情報を記憶し、特定の調理を再現する場合、再現メニューで特定の調理を選択すると、使用者の好みに応じた加熱条件で再現調理を実行する加熱調理器が提案されている（例えば、特許文献１）。この再現調理が可能な加熱調理器によれば、再現調理中、過去に使用者が加熱調理したときの調理情報における温度情報が再現されるように加熱手段の加熱量が変更される。また、被調理物の量等の相違によって、再現調理中、温度検知手段で取得される温度情報と記憶された調理情報における温度情報とに差が生じると、温度差を小さくするように加熱手段の加熱量が変更される。
【先行技術文献】
【特許文献】
【０００３】
【特許文献１】特開２０１６−５１５２６号公報
【発明の概要】
【発明が解決しようとする課題】
【０００４】
しかしながら、同種の調理でも、使用する被調理物の食材が異なっていたり、調理の手順が異なっていたりすると、調理容器の温度が異なってくる。例えば、同じカレーでも、野菜カレーとビーフカレーとでは、熱の通り方が異なるため、加熱調理中の調理容器の温度が異なる。また、同じ野菜カレーでも、カボチャやジャガイモなどの熱の通り難い食材を多く含む場合と、ナスやトマトなどの熱の通りやすい食材を多く含む場合とでは、加熱調理中の調理容器の温度が異なる。さらに、同じ食材を同じ量、使用する同一のカレーであっても、調理容器への食材の投入順序によって加熱調理中の調理容器の温度が異なってくる。そのため、特許文献１のように、再現調理を実行するとき、温度検知手段で取得される調理容器の温度情報が対応する特定の調理の調理情報における温度情報と大きく異なる場合でも、温度情報が一致するように加熱量の変更が行われると、使用者の好みに応じた調理の仕上がりの被調理物が得られない可能性がある。また、使用者によって食材や調理手順が異なる場合、登録されている調理情報の詳細を知らない使用者が調理情報を利用して再現調理をしようとすると、調理が再現されない可能性がある。
【０００５】
本発明は上記課題を解決するものであり、本発明の目的は、使用者の好みに応じた再現調理が可能な加熱調理システムにおいて、使用者の使い勝手を向上させることにある。
【課題を解決するための手段】
【０００６】
本発明によれば、
調理容器を加熱する加熱手段と、
加熱手段の加熱条件を設定する加熱条件設定手段と、
加熱条件設定手段で設定される加熱条件に基づいて加熱手段を制御する加熱制御手段と、
時間情報を取得する計時手段と、
調理容器の温度特性情報を取得する温度特性情報取得手段と、
特定の調理における、加熱条件設定手段で設定される加熱条件情報、計時手段で取得される時間情報、及び温度特性情報取得手段で取得される温度特性情報を少なくとも関連付けた調理情報を記憶する記憶手段と、を備え、
特定の調理を再現する再現調理が設定されると、
対応する特定の調理の調理情報における加熱条件情報に基づき再現調理を開始させ、
再現調理中、温度特性情報取得手段で取得される温度特性情報と、対応する特定の調理の調理情報における温度特性情報とを対比し、
温度特性情報取得手段で取得される温度特性情報と、対応する特定の調理の調理情報における温度特性情報とが、所定の特性値以上、乖離している場合、再現調理を中止する制御構成を有する加熱調理システムが提供される。
【０００７】
上記加熱調理システムによれば、再現調理を実行するための調理情報には、特定の調理における、加熱条件設定手段で設定される加熱条件情報と、計時手段で取得される時間情報と、温度特性情報取得手段で取得される温度特性情報とが少なくとも関連付けられているから、特定の調理を再現する再現調理が設定されると、対応する特定の調理の調理情報における加熱条件情報に基づき再現調理を開始させることができる。そして、再現調理中、温度特性情報取得手段で取得される温度特性情報と、対応する特定の調理の調理情報における温度特性情報とが対比され、温度特性情報取得手段で取得される温度特性情報と、対応する特定の調理の調理情報における温度特性情報とが、所定の特性値以上、乖離している場合、再現調理が中止されるから、対応する特定の調理における調理の進行状態と大きな相違が生じる前に、再現調理を中止させることができる。
【０００８】
好ましくは、上記加熱調理システムは、さらに、
調理容器を特定する調理容器情報を取得する調理容器情報取得手段を備え、
記憶手段は、特定の調理における、加熱条件設定手段で設定される加熱条件情報、計時手段で取得される時間情報、温度特性情報取得手段で取得される温度特性情報、及び調理容器情報を少なくとも関連付けた調理情報を記憶し、
特定の調理を再現する再現調理が設定されると、
調理容器情報取得手段によって取得される調理容器情報が、対応する特定の調理の調理情報における調理容器情報と略一致する場合、対応する特定の調理の調理情報における加熱条件情報に基づき再現調理を開始させる。
【０００９】
上記加熱調理システムによれば、再現調理を実行するための調理情報には、特定の調理における、加熱条件設定手段で設定される加熱条件情報と、計時手段で取得される時間情報と、温度特性情報取得手段で取得される温度特性情報と、調理容器情報とが少なくとも関連付けられており、特定の調理を再現する再現調理が設定されると、再現調理において調理容器情報取得手段によって取得される調理容器情報と、対応する特定の調理の調理情報における調理容器情報とが略一致する場合にのみ再現調理が開始されるから、調理容器の相違に起因した温度特性情報の相違が生じ難い状態で再現調理を実行させることができる。
【００１０】
一方、既述したように、同一の調理容器が使用される場合でも、食材や調理手順が相違すると、同じ加熱条件でも調理容器の温度は異なってくるから、対応する特定の調理の調理情報における加熱条件情報に基づいて再現調理を継続させると、使用者の好みと異なる調理の仕上がりとなる可能性が高い。
【００１１】
しかしながら、上記加熱調理システムによれば、再現調理中、温度特性情報取得手段で取得される温度特性情報と、対応する特定の調理の調理情報における温度特性情報とが対比され、温度特性情報取得手段で取得される温度特性情報と、対応する特定の調理の調理情報における温度特性情報とが、所定の特性値以上、乖離している場合、再現調理が中止されるから、対応する特定の調理における調理の進行状態と大きな相違が生じる前に、再現調理を中止させることができる。
【００１２】
好ましくは、上記加熱調理システムは、
再現調理を開始すると、加熱条件設定手段での加熱条件の任意設定を無効とし、
再現調理を中止すると、加熱条件設定手段での加熱条件の任意設定を可能にする制御構成を有する。
【００１３】
上記加熱調理システムによれば、再現調理が開始されると、加熱条件設定手段での加熱条件の任意設定が無効とされるから、再現調理中に不用意に加熱条件が変更されるのを防止できる。また、上記加熱調理システムによれば、再現調理が中止されると、加熱条件設定手段での加熱条件の任意設定が可能とされるから、使用者は手動調理で調理を継続させることができる。
【００１４】
好ましくは、上記加熱調理システムは、さらに、
報知手段を備え、
再現調理を中止する場合、報知手段から再現調理の中止を報知させるとともに、加熱条件設定手段での加熱条件の任意設定が可能であることを報知させる制御構成を有する。
【００１５】
上記加熱調理システムによれば、再現調理を中止する場合、報知手段から再現調理の中止を報知させるから、使用者に再現調理の中止を認識させることができる。また、上記加熱調理システムによれば、加熱条件設定手段での加熱条件の任意設定が可能であることを報知させるから、再現調理の中止後に、手動調理で調理が継続可能であることを使用者に認識させることができる。
【００１６】
好ましくは、上記加熱調理システムは、
再現調理を中止した後、加熱条件設定手段で加熱条件を任意設定する手動調理が継続されると、再現調理を中止する前の調理情報と、再現調理を中止した後の調理情報とに基づく新たな調理情報を記憶手段に記憶する制御構成を有する。
【００１７】
再現調理を中止すると、加熱条件設定手段での加熱条件の任意設定が可能な加熱調理システムでは、再現調理が中止された後でも、使用者が手動調理を継続することができる。そして、上記加熱調理システムによれば、再現調理が中止された後、手動調理が継続されると、再現調理を中止する前の調理情報と、再現調理を中止した後の調理情報とに基づく新たな調理情報が記憶手段に記憶されるから、食材や調理手順等の相違がある類似の調理について、より使用者の好みに応じた調理の仕上がりが得られる調理情報を得ることができる。
【００１８】
好ましくは、上記加熱調理システムにおいて、
調理容器情報取得手段は、調理容器に付与された識別コードを読み取る識別コード読み取り手段または調理容器の画像を取得する画像データ取得手段の少なくともいずれか一方を有する。
【００１９】
上記加熱調理システムによれば、簡易な手段により調理容器を特定することができる。また、識別コードを使用すれば、記憶容量の小さな記憶手段を利用することができる。
【００２０】
好ましくは、上記加熱調理システムにおいて、
識別コードは、調理容器の固有の識別コードを生成する識別コード生成手段によって調理容器に付与される。
【００２１】
上記加熱調理システムによれば、任意の調理容器を用いる場合でも、調理容器を特定することができる。
【発明の効果】
【００２２】
以上のように、本発明によれば、使用者の好みに応じた再現調理が可能な加熱調理システムにおいて、再現調理における調理の進行度合いが対応する特定の調理における調理の進行度合いと大きく異なる前、すなわち、再現調理中の温度特性情報と、対応する特定の調理の調理情報における温度特性情報とが所定の特性値以上、乖離する前に、再現調理を中止させることができる。これにより、使用者の好みに応じた調理の仕上がりの被調理物が得られるから、使用者の使い勝手に優れる加熱調理システムを提供することができる。
【図面の簡単な説明】
【００２３】
【図１】図１は、本発明の実施の形態に係る加熱調理システムを示す概略斜視図である。
【図２】図２は、本発明の実施の形態に係る加熱調理システムの一部を示すブロック図である。
【図３】図３は、本発明の実施の形態に係る加熱調理システムの制御動作の一例を示すフローチャートである。
【図４】図４は、本発明の実施の形態に係る加熱調理システムの調理情報の一例を示す説明図である。
【図５】図５は、本発明の実施の形態に係る加熱調理システムの制御動作の一例を示すフローチャートの一部である。
【図６】図６は、本発明の実施の形態に係る加熱調理システムの制御動作の一例を示すフローチャートの一部である。
【図７】図７（ａ）は、本発明の実施の形態に係る加熱調理システムの再現メニューの一例を示す説明図、図７（ｂ）は、本発明の実施の形態に係る加熱調理システムの追加された再現メニューの一例を示す説明図である。
【図８】図８は、本発明の他の実施の形態に係る加熱調理システムの制御動作の一例を示すフローチャートである。
【発明を実施するための形態】
【００２４】
図１は、システムキッチンに収容されるビルトインコンロタイプのガスコンロに適用した本実施の形態の加熱調理システムの一例を示す概略斜視図である。図１に示すように、コンロ本体３の天板３０上には五徳３５，３６，３７と環状のコンロバーナ３１，３２，３３が位置しているとともに、コンロ本体３の正面中央にはグリル庫２０の開閉扉２１が配設されている。なお、本明細書では、グリル庫２０の開閉扉２１が設けられている面を前面とし、コンロ本体３の奥行き方向を前後方向、コンロ本体３の幅方向を左右方向、コンロ本体３の高さ方向を上下方向という。
【００２５】
コンロバーナ３１，３２，３３の中央部にはそれぞれ、五徳３５，３６，３７上に載置された調理容器５０の鍋底に当接して調理容器５０の鍋底温度（温度特性情報）を検知する温度センサ（温度特性情報取得手段）３１ａ，３２ａ，３３ａが設けられている。温度センサ３１ａ，３２ａ，３３ａは、コンロ本体３内で昇降自在に支持されており、五徳３５，３６，３７上に調理容器５０が載置されていない鍋無し状態では五徳３５，３６，３７よりも高い位置に突出し、五徳３５，３６，３７上に調理容器５０が載置された鍋有り状態になると、調理容器５０の荷重を受けて押し下げられるように構成されている。また、各コンロバーナ３１，３２，３３の炎孔近傍位置には、後述する点火電極、及び熱電対が配設されている。
【００２６】
グリル庫２０の開閉扉２１の右側に位置するコンロ操作部２３には、電源スイッチ２９と、コンロバーナ３１，３２，３３の点・消火と火力調整機能を兼備した操作摘み２４，２５，２６とが配設されている。操作摘み２４，２５，２６はそれぞれ、押し込み操作の繰り返しによってコンロ操作部２３から突出した使用状態と、コンロ操作部２３と面一になった不使用状態との２状態に変化するようになっている。また、コンロ操作部２３には、電源スイッチ２９に隣接して、スピーカ２７が内蔵されている。
【００２７】
コンロ操作部２３の下方には、コンロバーナ３１，３２，３３で各種の調理を行うための操作表示ユニット３９が格納されている。図示しないが、操作表示ユニット３９には、ガスコンロの運転状態や調理モード、調理条件等を表示する液晶表示部と、各コンロバーナ３１，３２，３３で自動で調理するための自動調理用のオートメニュースイッチ、温度設定スイッチ、タイマスイッチ、使用者が特定の調理について再現調理を実行するための再現メニュースイッチ、調理容器情報や使用者が手動で調理した手動調理の調理情報を記憶させるためのメモリスイッチなどの各種スイッチとが設けられている。なお、本実施の形態では、操作表示ユニット３９の液晶表示部やスピーカ２７が所定の報知を行う報知手段に対応する。
【００２８】
天板３０の前方の左右中央部には、使用する調理容器５０に付与されているＩＣタグ５３の調理容器情報を読み取るＩＣタグリーダ（調理容器情報取得手段）４０が埋設されている。なお、本実施の形態では、調理容器情報を有するＩＣタグ５３が付与されたメーカ推薦の調理容器５０が用いられているが、調理容器５０を特定できれば、調理容器情報取得手段は特定されない。例えば、調理容器情報取得手段として非接触画像センシング手段を使用し、撮影した画像データを調理容器情報として使用してもよい。なお、画像データを調理容器情報として使用する場合、同一の調理容器５０の判定にあたっては、取得された画像データと記憶されている画像データとが完全に一致する場合だけでなく、略一致する場合を含む。また、任意の調理容器５０を用いる場合、調理容器情報は携帯端末等で作製可能なＱＲコード（登録商標）などの識別コードであってもよい。
【００２９】
図２は、本実施の形態のガスコンロのブロック図の一部である。なお、コンロバーナ３１，３３も同様の構成を有するため、これらについては省略し、以下では主としてコンロバーナ３２について説明する。図２に示すように、コンロバーナ３２には、燃料ガスを供給するガス供給管１００が接続され、ガス供給管１００には、元電磁弁４及び流量変更弁５が介設されている。なお、流量変更弁５は従来公知の電動弁であり、ステッピングモータ１４を介して流量変更弁５の開度を変更することにより、コンロバーナ３２の火力のレベルが「１」（最小）から「９」（最大）までの９段階に切り替えられる。従って、本実施の形態では、操作摘み２５がコンロバーナ３２の加熱条件を設定する加熱条件設定手段に対応する。
【００３０】
制御装置１２には、元電磁弁４、ステッピングモータ１４や、点火電極３２ｂ、熱電対３２ｃ、既述した操作摘み２５、スピーカ２７、操作表示ユニット３９、温度センサ３２ａ、ＩＣタグリーダ４０などが電気配線を介して接続されている。
【００３１】
制御装置１２は、機能的構成手段として、元電磁弁４や流量変更弁５の開度を調整してコンロバーナ３２の火力を制御する加熱制御部１２０、調理中の経過時間を計時する計時部１２１、スピーカ２７や操作表示ユニット３９から所定の情報を報知させる報知制御部１２２、ＩＣタグリーダ４０で読み取られた調理容器情報と一致する調理容器情報を有する調理情報を抽出する抽出部１２３、対応する特定の調理の調理情報に基づき再現調理を実行する再現調理実行部１２４、再現調理中、温度センサ３２ａで検知される調理容器５０の鍋底温度と、選択された再現調理に対応する特定の調理の調理情報における調理容器５０の鍋底温度とを所定の単位時間ごとに対比して、これらの温度差が所定の特性値以上、乖離しているかどうかを判定する調理温度判定部１２５、調理温度判定部１２５で、所定の特性値以上の温度差が確認されると、再現調理を中止させる再現調理中止部１２６、操作摘み２５で火力が任意設定される場合、加熱条件、鍋底温度、経過時間を取得して記憶部１３０に記憶する調理状態取得部１２７などを備える。
【００３２】
また、制御装置１２は、マイコン上のＲＯＭやＲＡＭなどにより構成された記憶部１３０を備える。記憶部１３０には、所定の制御プログラムや各種設定値、報知内容の異なる複数の音声情報や画像情報、調理容器５０を特定する調理容器情報、自動調理を実行するための加熱条件情報や温度特性情報等の調理情報、使用者が過去に行った特定の調理の再現調理を実行するための加熱条件情報や温度特性情報等の調理情報が記憶されている。再現調理を実行するための特定の調理の調理情報の詳細は後述するが、各調理情報には、使用者が特定の調理について手動調理を実行したときの、ＩＣタグリーダ４０から出力される調理容器情報と、使用者が操作摘み２５を操作することによって変更される加熱条件である火力レベルの加熱条件情報と、温度センサ３２ａから出力される調理容器５０の鍋底温度の温度特性情報と、計時部１２１によって計時される経過時間の時間情報とが少なくとも関連付けられて記憶されている。なお、本実施の形態では、温度特性情報として、温度センサ３２ａで検知される調理容器５０の鍋底温度のみが使用されているが、鍋底温度の代わりに、あるいは鍋底温度とともに、温度勾配などの他の温度特性情報を使用してもよい。
【００３３】
図１に戻って、調理容器５０は容器本体部５１と把手部５２とを備え、把手部５２にはＩＣタグ５３が埋設されている。ＩＣタグ５３には、調理容器情報として、形状（例えば、鍋型）、材質（例えば、アルミ）、サイズ（例えば、３０ｃｍ径）、メーカ、品番などの各項目で分類された調理容器固有の識別番号が付与されている。
【００３４】
次に、本実施の形態のガスコンロにおける、特定の調理の調理情報を記憶部１３０に登録する制御動作の一例について、図３〜図４を参照して説明する。なお、ここでは、特定の調理としてタイ風カレーを例に挙げて説明するが、他の調理でも同様である。
【００３５】
図３に示すように、ガスコンロの電源が供給されている状態で、使用者が、ＩＣタグ５３が付与された調理容器５０をＩＣタグリーダ４０に近づけると、ＩＣタグリーダ４０は、ＩＣタグ５３から調理容器５０の調理容器情報を読み取り、制御装置１２に出力する（ステップＳ１２１）。
【００３６】
このとき、記憶部１３０に記憶されている調理容器情報の中にＩＣタグリーダ４０で読み取られた調理容器情報と一致しているものが登録されているかどうかが判定される（ステップＳ１２２）。そして、記憶部１３０に一致する調理容器情報がある場合（ステップＳ１２２で、Ｙｅｓ）、その調理容器５０の形状等が操作表示ユニット３９に表示される（ステップＳ１２４及びＳ１０３）。一方、記憶部１３０に一致する調理容器情報が登録されていない場合（ステップＳ１２２で、Ｎｏ）、操作表示ユニット３９から新しい調理容器５０として記憶部１３０に登録させるかどうかが報知される（ステップＳ１０１）。そして、例えば、使用者が操作表示ユニット３９のメモリスイッチを押し操作すると、使用される調理容器５０の調理容器情報が記憶部１３０に新たに登録され（ステップＳ１０２及びＳ１２３）、上記と同様に、調理容器５０の形状等が操作表示ユニット３９に表示される（ステップＳ１２４及びＳ１０３）。
【００３７】
次いで、例えば、使用者が操作摘み２５をオン操作してコンロバーナ３２を点火させると（ステップＳ１０４）、調理状態の取得が開始され、計時部１２１で計時される経過時間が時間情報として、操作摘み２５で設定される加熱条件が加熱条件情報として記憶部１３０に記憶される。また、温度センサ３２ａで検知される調理容器５０の鍋底温度が温度特性情報として単位時間ごとに記憶部１３０に記憶される（ステップＳ１２５）。
【００３８】
次いで、例えば、使用者が操作摘み２５をオフ操作してコンロバーナ３２が消火されるまで、操作摘み２５で設定される加熱条件情報等が同様に記憶部１３０に記憶される（ステップＳ１０５，Ｓ１０６及びＳ１２６，Ｓ１２７）。
【００３９】
コンロバーナ３２が消火されると、操作表示ユニット３９に、スピーカ２７や操作表示ユニット３９から今回の手動調理の調理情報を登録するかどうかが報知される（ステップＳ１２８及びＳ１０７）。そして、例えば、使用者が操作表示ユニット３９で調理名等を入力し、メモリスイッチを押し操作すると、図４に示す今回の手動調理の調理情報の一部が表示され、今回の手動調理における調理容器情報と、計時された時間情報と、操作摘み２５で設定された加熱条件の加熱条件情報と、温度センサ３２ａで検知された調理容器５０の鍋底温度の温度特性情報とが関連付けられた１つの調理情報（例えば、レシピＮｏ．１：タイ風カレー）が記憶部１３０に記憶される（ステップＳ１０８及びＳ１２９）。このとき、調理情報に、調理日や分量、使用した食材や投入順、コメントなどの他の情報をさらに含めてもよい。
【００４０】
次に、本実施の形態のガスコンロにおいて、登録された特定の調理の調理情報を利用して再現調理を実行する制御動作の一例を図５〜図７を参照して説明する。図５に示すように、再現調理を実行する場合、例えば、使用者が操作表示ユニット３９で再現メニュースイッチをオン操作すると、スピーカ２７及び操作表示ユニット３９からＩＣタグリーダ４０での調理容器５０の読み取りが指示される（ステップＳ２０１，２０２及びＳ２２１）。
【００４１】
使用者が調理容器５０をＩＣタグリーダ４０にかざして、調理容器情報である識別番号が読み取られ、制御装置１２に出力されると（ステップＳ２２２）、ＩＣタグリーダ４０で読み取られた調理容器情報と一致する調理容器情報を有する調理情報が記憶部１３０に記憶されている調理情報の中から抽出され、図７（ａ）に示す調理名等の再現メニューが操作表示ユニット３９に表示される（ステップＳ２２３及びＳ２０３）。なお、図示しないが、ＩＣタグリーダ４０で読み取られた調理容器情報に一致する調理容器情報が記憶部１３０に記憶されていない場合、再現調理を実行することなく、上記と同様に、新しい調理容器５０として調理容器情報を記憶部１３０に登録させるかどうかが報知される。従って、再現調理は調理容器５０が一致する場合にのみ実行されるから、調理容器５０の相違に起因した温度特性の相違が生じ難い状態で再現調理を開始させることができる。これにより、調理の再現性を向上させることができる。
【００４２】
使用者が操作表示ユニット３９を操作して、再現メニュー中の特定の調理（例えば、レシピＮｏ.１：タイ風カレー）を選択すると、スピーカ２７及び操作表示ユニット３９から調理容器５０のコンロバーナ３２上への載置が報知される（ステップＳ２０４）。そして、温度センサ３２ａが下方に押し下げられて、調理容器５０の載置が検知され、使用者が操作摘み２５をオン操作すると、コンロバーナ３２が点火されて、再現調理が開始される（ステップＳ２０５及びＳ２２４）。再現調理が開始されると、再現調理の実行中、操作摘み２５による火力設定が無効とされる（ステップＳ２２５）。これにより、再現調理中に不用意にコンロバーナ３２の火力が変更されるのを防止することができる。
【００４３】
再現調理が開始されると、選択された再現調理に対応する特定の調理の調理情報における加熱条件情報に基づき、コンロバーナ３２の火力が変更される。そして、特定の調理の調理情報における時間情報に基づき所定の調理時間が終了するまで、温度センサ３２ａで検知される単位時間ごとの調理容器５０の鍋底温度（温度特性情報）と、記憶部１３０に記憶されている選択された再現調理に対応する特定の調理の調理情報における調理容器５０の鍋底温度（温度特性情報）とが対比され、これらの温度差が所定の特性値（例えば、２０℃）以上、相違するかどうかが判定される（ステップＳ２２６，２２７）。なお、例えば、夏季と冬季とでは水温に差があるため、点火初期は上記温度差が大きくなる場合がある。そのため、再現調理開始から一定時間経過後に温度特性情報の対比を開始させてもよい。
【００４４】
再現調理中、上記温度差が所定の特性値以上、相違することなく、所定の調理時間が経過すると（ステップＳ２２６で、Ｎｏ、ステップＳ２２７で、Ｙｅｓ）、スピーカ２７及び操作表示ユニット３９から再現調理の終了が報知される（ステップＳ２２８及びＳ２０６）。
【００４５】
一方、再現調理中、上記温度差が所定の特性値以上、相違した場合（ステップＳ２２６で、Ｙｅｓ）、コンロバーナ３２が消火されて、特定の調理の調理情報に基づく再現調理が中止されるとともに、操作摘み２５による火力設定の無効が解除される（ステップＳ２２９，Ｓ２３０）。また、スピーカ２７及び操作表示ユニット３９から再現調理の中止と、操作摘み２５で火力を任意に変更して手動調理による調理が継続可能であることが報知される（ステップＳ２３１及びＳ２０７）。
【００４６】
使用者が、操作摘み２５をオン操作して、手動調理を継続させると（ステップＳ２０８）、既述した調理情報の登録と同様に、加熱条件情報等が記憶部１３０に記憶される（ステップＳ２３２〜Ｓ２３４及びＳ２０９〜Ｓ２１０）。そして、使用者が操作摘み２５をオフ操作してコンロバーナ３２を消火させて手動調理を終了させると、調理情報の登録と同様に、今回の調理を新たな特定の調理の調理情報として記憶させるかどうかが報知される。使用者が操作表示ユニット３９で調理名等を入力し、メモリスイッチを押し操作すると、図４と同様の調理情報が報知されるとともに、再現調理が中止されるまでの調理情報と、再現調理が中止された後の手動調理の調理情報とを組み合わせた調理情報が記憶部１３０に記憶され、図７（ｂ）に示す新たな調理情報（例えば、レシピＮｏ．６：タイ風カレー２）が追加された再現メニューが作成される（ステップＳ２３５，Ｓ２３６及びＳ２１１，Ｓ２１２）。
【００４７】
以上詳細に説明したように、本実施の形態のガスコンロによれば、再現調理における調理の進行度合いが対応する特定の調理における調理の進行度合いと大きく異なる前に、再現調理を中止させることができる。従って、再現調理を中止させた後、使用者が手動調理で調理を継続させることができる。また、再現調理が中止された後の加熱条件等を利用して新たな調理情報を得ることができる。これにより、使用者の好みに応じた調理の仕上がりの被調理物が得られるから、使用者の使い勝手に優れる加熱調理システムを提供することができる。
【００４８】
（その他の実施の形態）
（１）上記実施の形態では、加熱調理器としてガスコンロ例に挙げて説明したが、本発明は、誘導加熱調理器などの他の加熱調理器を用いる加熱調理システムにも適用することができる。
（２）上記実施の形態では、調理容器情報取得手段で取得した調理容器情報と加熱条件情報等とが関連付けられた調理情報が記憶手段に登録されているが、メーカ推薦の調理容器が用いられる場合、予め記憶手段に登録された調理容器情報と加熱条件情報等とを関連付けた調理情報を記憶手段に登録させてもよい。
（３）上記実施の形態では、加熱調理器の記憶手段に全ての調理情報が記憶されているが、通信手段を備える加熱調理器の場合、調理情報の一部または全部を外部記憶手段に記憶させてもよい。また、再現メニューを外部端末に表示させてもよい。さらに、加熱調理器に通信手段を設け、通信手段から通信ネットワークを介して、例えば、所定のコミュニティサイトへ調理情報を投稿させてもよい。これにより、同一の調理容器や加熱調理器を有する他の使用者も同一の調理を容易に再現することができるだけでなく、調理レシピを蓄積することができる。
（４）上記実施の形態では、再現調理を開始させる場合、調理容器情報取得手段で調理容器情報を取得し、調理容器情報取得手段で取得された調理容器情報と一致する調理容器情報を有する調理情報を記憶手段から抽出して、抽出された調理情報の中から目的とする再現調理に対応する特定の調理が選択される。しかしながら、図８に示すように、使用者が操作表示ユニット等を操作して目的とする再現調理に対応する特定の調理を選択した後、調理容器情報取得手段で調理容器情報を取得し、選択された特定の調理の調理情報における調理容器情報と、取得された調理情報とが一致する場合に、再現調理を開始させてもよい（ステップＳ３０１〜Ｓ３０４及びＳ３２１〜Ｓ３２４）。なお、説明は省略するが、再現調理が開始された後の制御動作（ステップＳ３０５以降及びＳ３２５以降）は、上記実施の形態のそれと同様である。
（５）上記実施の形態では、調理容器情報取得手段であるＩＣタグリーダは加熱調理器に設けられているが、画像データを調理容器情報として使用する場合、スマートホンなどのカメラ付き携帯端末を調理容器情報取得手段として用いてもよい。
（６）上記実施の形態では、調理容器情報取得手段であるＩＣタグリーダは、天板に１つのみ設けられているが、加熱手段と調理容器との相関が取りやすくなるように、加熱手段ごとに設けてもよい。なお、複数の加熱手段がある場合、再現調理は少なくとも１つの加熱手段で実行することができる。また、能力の異なる複数の加熱手段がある場合、調理中の温度特性情報が異なってくるため、加熱手段ごとに再現調理が実行されるように構成することが好ましい。
（７）上記実施の形態では、再現調理を中止する場合、コンロバーナを消火させているが、再現調理を中止する場合、コンロバーナを消火させることなく、特定の調理の調理情報に基づく火力の変更を中止し、手動調理による調理を継続させてもよい。これにより、再現調理を中止させた後でもコンロバーナの燃焼が継続されるから、次回の再現調理において、より使用者の好みに応じた調理の再現が可能となる。なお、この場合、図６における再現調理中止後のバーナの点火（ステップＳＴ２０８）は不要である。
【符号の説明】
【００４９】
３１，３２，３３        コンロバーナ（加熱手段）
２４，２５，２６        操作摘み（加熱条件設定手段）
１２                    制御装置
２７                    スピーカ
３１ａ，３２ａ，３３ａ  温度センサ（温度特性情報取得手段）
３９                    操作表示ユニット
４０                    ＩＣタグリーダ（調理容器情報取得手段）
５０                    調理容器
１２０                  加熱制御部
１２１                  計時部
【図１】
2020056530.tif 000003
【図２】
2020056530.tif 000004
【図３】
2020056530.tif 000005
【図４】
2020056530.tif 000006
【図５】
2020056530.tif 000007
【図６】
2020056530.tif 000008
【図７】
2020056530.tif 000009
【図８】
2020056530.tif 000010